(57)【要約】【課題】  ディスクに記録又は再生のための処理を行っているときに、その処理を中断することなく別のディスクをストックしたりストックしているディスクを交換したりすることを可能にする。【解決手段】  筐体１内のディスク処理スペースＳにディスク処理機構２を配備する。筐体１内にディスク処理スペースＳと第１及び第２のディスク収納スペースＳ１，Ｓ１’，Ｓ２とを区画形成する。ディスク処理スペースＳと第１ディスク収納スペースＳ１と第２ディスク収納スペースＳ２との相互間でディスクの受渡しを行うディスク受渡し機構５を有する。第１ディスク収納スペースＳ１，Ｓ１’にディスク出入口１３，１３’を設け、そのディスク出入口１３，１３’をカバー１４，１４’で開閉可能とする。【選択図】        図１
2006268988.tif 000002
【特許請求の範囲】
【請求項１】
筐体内に設けられているディスク処理スペースに、そのディスク処理スペースに搬入されたディスクに対して記録又は再生のための処理を行うディスク処理機構が配備されているディスク装置において、
上記筐体内に、上記ディスク処理スペースと第１及び第２の２種類のディスク収納スペースとが区画形成されていると共に、上記ディスク処理スペースと上記第２ディスク収納スペースとが下段側空間を隔てて横並びに区画配備され、かつ、ディスク処理スペースの上側と第２ディスク収納スペースの上側とに上記下段側空間に連続している上段側空間を隔てて横並びの２つの上記第１ディスク収納スペースのそれぞれが個別に区画配備され、
上記ディスク処理スペースと２つの上記第１ディスク収納スペースと上記第２ディスク収納スペースとの間で相互にディスクの受渡しを行うディスク受渡し機構を有し、
このディスク受渡し機構は、上記下段側空間と上記上段側空間との間で昇降可能でかつディスク受取りスペースを備える可動構体と、この可動構体が上記下段側空間内に位置しているときに上記ディスク処理スペース及び上記第２ディスク収納スペースのいずれか一方との間でディスクの受渡しを行い、かつ、この可動構体が上記上段側空間内に位置しているときに２つの上記第１ディスク収納スペースのいずれか一方との間でディスクの受渡しを行うディスク引込み払出し機構を備え、
上記ディスク処理スペースにディスクを挿抜するためのスロットが上記筐体に備わり、そのディスク処理スペースに、上記スロットを経てディスクを出入れするためのディスク搬入出機構が配備され、
２つの上記第１ディスク収納スペースに上記筐体の一部を欠除して形成されたディスク出入口がそれぞれ具備され、そのディスク出入口に水平スライドして開閉可能なカバーが装備されてそのカバーの開時に上記ディスク出入口を通じてその第１収納スペースに対するディスクの出入れが可能とされていることを特徴とするディスク装置。
【請求項２】
筐体内に設けられているディスク処理スペースに、そのディスク処理スペースに搬入されたディスクに対して記録又は再生のための処理を行うディスク処理機構が配備されているディスク装置において、
上記筐体内に、互いにディスクの受渡しが行われる上記ディスク処理スペースと第１及び第２の２種類のディスク収納スペースとが区画形成されていて、それらのうちの第１ディスク収納スペースに上記筐体の一部を欠除して形成されたディスク出入口が具備され、そのディスク出入口に水平スライドして開閉可能なカバーが装備されてそのカバーの開時に上記ディスク出入口を通じてその第１収納スペースに対するディスクの出入れが可能とされていることを特徴とするディスク装置。
【請求項３】
筐体の内部で上記ディスク処理スペースと上記第２ディスク収納スペースとが横並びに配備されていて、ディスク処理スペースの上側と第２ディスク収納スペースの上側とに横並びの２つの上記第１ディスク収納スペースのそれぞれが個別に配備されている請求項２に記載したディスク装置。
【請求項４】
上記筐体内に、上記ディスク処理スペースと第１ディスク収納スペースと第２ディスク収納スペースとの間で相互にディスクの受渡しを行うディスク受渡し機構が設けられている請求項２又は請求項３に記載したディスク装置。
【請求項５】
上記ディスク処理スペースにディスクを挿抜するためのスロットが上記筐体に備わり、そのディスク処理スペースに、上記スロットを経てディスクを出入れするためのディスク搬入出機構が配備されている請求項２ないし請求項４のいずれか１項に記載したディスク装置。
【発明の詳細な説明】
【技術分野】
【０００１】
本発明は、ディスク装置、特に、ディスクに記録又は再生のための処理を行っているときに、その処理を中断することなく別のディスクをストックしたりストックしているディスクを交換したりすることのできる対策を講じているディスク装置に関する。
【背景技術】
【０００２】
従来より、リモートコントローラの操作を通じて制御されるディスクチェンジャーを内蔵したディスク装置が知られていた。このものでは、複数枚のディスクがあらかじめセットされたディスクチャンジャーを動作させることにより、そのうちの１枚のディスクがピックアップユニットなどのディスク処理機構に選択的に供給されて記録又は再生のための処理が行われるようになっていた。そして、このものでは、特定の１枚のディスクに対する記録又は再生の処理が行われる間に、ディスクチェンジャーにセットしてあるディスクを交換したり、新たにディスクをセットしたり取り出したりするということができなかった。
【０００３】
これに対し、従来より、ディスクに記録又は再生のための処理を行っているときに、その処理を中断することなく別のディスクをストックしたりストックしているディスクを交換したりすることのできる対策を講じたディスク装置も種々提案されている（たとえば特許文献１、特許文献２、特許文献３参照）。これらのうち、特許文献１に記載されているものは、上下３段に亘って配備されたディスクトレイに対してピックアップユニットを昇降させることにより、そのピックアップユニットを１つのディスクトレイに選択的に位置付けてそのディスクトレイとピックアップユニットとの間でディスクを受け渡すことができるようになっている。また、ピックアップユニットによるディスクの再生中にも各段のディスクトレイに対してディスクを出入れすることができるようになっている。特許文献２に記載されているものは、水平方向に交互に移動する上下２段のカートリッジ（ディスクトレイに相当する）を有し、上段カートリッジにより搬入されたディスクの再生中に下段カートリッジに対するディスクの交換を可能にし、下段カートリッジにより搬入されたディスクの再生中に上段カートリッジに対するディスクの交換を可能にしている。さらに、特許文献３に記載されているものは、筐体内に多段式のストッカとディスク再生手段が配備され、筐体に対して出退する移送手段によりディスクをストッカに出入れし、そのストッカを昇降させてそのストッカに収容されているディスクをディスク再生手段に対して搬入出するようになっている。
【０００４】
さらに他の従来例として、多段式のストッカを上下させてその収納部の１つをローディング／アンローディング位置にシフトするものも知られていた（特許文献４参照）。しかし、このものは、ディスクに記録又は再生のための処理を行っているときに、その処理を中断することなく別のディスクをストックしたりストックしているディスクを交換したりするという操作を行うことができないものであった。
【特許文献１】特開平７−２９６４９７号公報
【特許文献２】特開平９−６９２５８号公報
【特許文献３】特開平６−１１９７０３号公報
【特許文献４】特開平８−２３５７４７号公報
【発明の開示】
【発明が解決しようとする課題】
【０００５】
しかしながら、ディスクに記録又は再生のための処理を行っているときに、その処理を中断することなく別のディスクをストックしたりストックしているディスクを交換したりすることのできる対策を講じたディスク装置であっても、特許文献１、特許文献２又は特許文献３に見られるように、多段式のストッカを上下動させたりピックアップユニットを上下動させたりすることを要するものでは、ストッカやピックアップユニットの昇降のためのスペースを確保することを要するためにディスク装置の外観高さが高くなってディスク装置のコンパクト化が極端に阻害されやすいという問題があるほか、それらを上下動させるための機構が複雑になってそれだけコスト高になるという問題があった。
【０００６】
本発明は以上の問題に鑑みてなされたものであり、ディスクに記録又は再生のための処理を行っているときに、その処理を中断することなく別のディスクをストックしたりストックしているディスクを交換したりすることができるにもかかわらず、外観高さをそれほど高くせずに済むディスク装置を提供することを目的とする。
【０００７】
また、本発明は、筐体内でのディスクの搬送に昇降式のディスク受渡し機構を用いるものでありながら、外観高さをそれほど高くせずに済むディスク装置を提供することを目的とする。
【課題を解決するための手段】
【０００８】
本発明に係るディスク装置は、筐体内に設けられているディスク処理スペースに、そのディスク処理スペースに搬入されたディスクに対して記録又は再生のための処理を行うディスク処理機構が配備されている。そして、上記筐体内に、互いにディスクの受渡しが行われる上記ディスク処理スペースと第１及び第２の２種類のディスク収納スペースとが区画形成されていて、それらのうちの第１ディスク収納スペースに上記筐体の一部を欠除して形成されたディスク出入口が具備され、そのディスク出入口に水平スライドして開閉可能なカバーが装備されてそのカバーの開時に上記ディスク出入口を通じてその第１収納スペースに対するディスクの出入れが可能とされている。
【０００９】
この構成であれば、ディスクに対する記録又は再生のための処理がディスク処理スペースで行われるため、第１及び第２の２種類のディスク収納スペースを、次回に記録又は再生のための処理を行うディスクの待機のためのスペースとして利用したり、ディスクの交換のためのスペースとして利用したりすることが可能になる。加えて、第１ディスク収納スペースに筐体の一部を欠除して形成されたディスク出入口が具備され、そのディスク出入口に水平スライドして開閉可能なカバーが装備されてそのカバーの開時にディスク出入口を通じてその第１収納スペースに対するディスクの出入れが可能とされていることにより、ディスクに対する記録又は再生のための処理を中断することなく、第１及び第２の２種類のディスク収納スペースを利用してディスクを交換したり追加したり取り出したりすることが可能になる。
【００１０】
本発明では、筐体の内部で上記ディスク処理スペースと上記第２ディスク収納スペースとが横並びに配備されていて、ディスク処理スペースの上側と第２ディスク収納スペースの上側とに横並びの２つの上記第１ディスク収納スペースのそれぞれが個別に配備されていることが望ましい。これによれば、ディスク処理スペース及び第２ディスク収納スペースと２つの第１ディスク収納スペースとを上下２段に亘って配備するだけですむので、多段式のストッカを上下動可能に筐体内に配備する場合に比べて当該ディスク装置の外観高さをそれほど高くせずに済む。
【００１１】
本発明では、上記筐体内に、上記ディスク処理スペースと第１ディスク収納スペースと第２ディスク収納スペースとの間で相互にディスクの受渡しを行うディスク受渡し機構が設けられている、という構成を採用することが可能であり、これによれば、ディスク受渡し機構の作用によってディスクをディスク処理スペースと第１ディスク収納スペースと第２ディスク収納スペースとの間で自由にかつ任意の経路を経て効率よく受け渡すことが可能になる。
【００１２】
本発明では、上記ディスク処理スペースにディスクを挿抜するためのスロットが上記筐体に備わり、そのディスク処理スペースに、上記スロットを経てディスクを出入れするためのディスク搬入出機構が配備されていることが望ましい。これによれば、筐体のスロットを通じてディスクをディスク処理スペースに挿抜することが可能になるので、ディスクの交換に際して上記した筐体のディスク出入口を介する必要が必ずしもなくなる。すなわち、ディスク処理スペースで記録又は再生のための処理が行われたディスクをスロットを通じて抜き出した後に、そのディスク処理スペースに、第１ディスク収納スペースや第２ディスク収納スペースのディスクを直ちに搬入したり、さらに、第１ディスク収納スペースに新たにディスクを追加したりすることが可能になる。
【００１３】
本発明に係るディスク装置は、次の構成を採用することによっていっそう具体化される。すなわち、筐体内に設けられているディスク処理スペースに、そのディスク処理スペースに搬入されたディスクに対して記録又は再生のための処理を行うディスク処理機構が配備されているディスク装置において、上記筐体内に、上記ディスク処理スペースと第１及び第２の２種類のディスク収納スペースとが区画形成されていると共に、上記ディスク処理スペースと上記第２ディスク収納スペースとが下段側空間を隔てて横並びに区画配備され、かつ、ディスク処理スペースの上側と第２ディスク収納スペースの上側とに上記下段側空間に連続している上段側空間を隔てて横並びの２つの上記第１ディスク収納スペースのそれぞれが個別に区画配備され、上記ディスク処理スペースと２つの上記第１ディスク収納スペースと上記第２ディスク収納スペースとの間で相互にディスクの受渡しを行うディスク受渡し機構を有し、このディスク受渡し機構は、上記下段側空間と上記上段側空間との間で昇降可能でかつディスク受取りスペースを備える可動構体と、この可動構体が上記下段側空間内に位置しているときに上記ディスク処理スペース及び上記第２ディスク収納スペースのいずれか一方との間でディスクの受渡しを行い、かつ、この可動構体が上記上段側空間内に位置しているときに２つの上記第１ディスク収納スペースのいずれか一方との間でディスクの受渡しを行うディスク引込み払出し機構を備え、上記ディスク処理スペースにディスクを挿抜するためのスロットが上記筐体に備わり、そのディスク処理スペースに、上記スロットを経てディスクを出入れするためのディスク搬入出機構が配備され、２つの上記第１ディスク収納スペースに上記筐体の一部を欠除して形成されたディスク出入口がそれぞれ具備され、そのディスク出入口に水平スライドして開閉可能なカバーが装備されてそのカバーの開時に上記ディスク出入口を通じてその第１収納スペースに対するディスクの出入れが可能とされている、という構成を採用することによっていっそう具体化される。
【発明の効果】
【００１４】
以上のように、本発明によれば、筐体内にストックしたディスクをディスク処理スペースに搬入して記録又は再生のための処理を行わせるように構成してあるので、ディスクに記録又は再生のための処理を行っているときに、その処理を中断することなく別のディスクをストックしたりストックしているディスクを交換したりすることができるにもかかわらず、筐体内の第１及び第２のディスク収納スペースを利用して複数枚のディスクを筐体内にストックすることが可能であるために、多段式のストッカを上下動させたりピックアップユニットを上下動させたりする必要がなくなってそれだけ当該ディスク装置の外観高さを低く抑えることが可能になる。このことにより、ユーザにとってはディスク装置の設置スペースが狭くて済むという利点がもたらされる。
【発明を実施するための最良の形態】
【００１５】
図１〜図１０は本発明の実施形態に係るディスク装置の動作を例示した概略縦断面図、図１１はディスク装置の概略外観斜視図、図１２は要部の拡大縦断面図、図１３はディスク後押し部材の概略側面図、図１４は可動構体５１などを示した概略平面図である。
【００１６】
図１〜図１０に示したところから明らかなように、この実施形態のディスク装置は、偏平箱形の筐体１内にディスク処理スペースＳが設けられていて、このディスク処理スペースＳにピックアップユニットでなるディスク処理機構２が配備されている。そして、ディスク処理スペースＳに搬入されたディスクＤに対してディスク処理機構２の作用で記録又は再生のための処理が行われる。ここで、記録又は再生のための処理とは、ディスク処理機構２を構成しているピックアップユニットのターンテーブル２１にディスクＤが装着され、そのターンテーブル２１の回転中にディスク処理機構２の図示していない光ピックアップ２１がディスクＤの記録面を走査して記録又は再生を行うという処理のことである。
【００１７】
また、筐体１内には、ディスク処理スペースＳと共に、２つの第１ディスク収納スペースＳ１，Ｓ１’と、１つの第２ディスク収納スペースＳ２とが区画形成されている。さらに具体的には、筐体１の内部でディスク処理スペースＳと第２ディスク収納スペースＳ２とが横並びに配備されていて、ディスク処理スペースＳの上側と第２ディスク収納スペースＳ２の上側とに横並びの２つの第１ディスク収納スペースＳ１，Ｓ１’のそれぞれが個別に配備されていると共に、ディスク処理スペースＳと第２ディスク収納スペースＳ２とが下段側空間Ｖ１を隔てて横並びに区画配備され、かつ、２つの上記第１ディスク収納スペースＳ１，Ｓ１’が上段側空間Ｖ２を隔てて横並びに区画配備されていて、それらの上下各段の空間Ｖ１，Ｖ２は上下方向に連続して形成されている。
【００１８】
そして、上段側の２つの第１ディスク収納スペースＳ１，Ｓ１’には、筐体１の天板部１２を欠除することによって形成されたディスク出入口１３，１３’が具備されていて、それらの各ディスク出入口１３，１３’には図１１に例示したように水平スライドしてそのディスク出入口１３，１３’を開閉するカバー１４，１４’が各別に装備されていて、それらのカバー１４，１４’を開くことによってディスク出入口１３，１３’を通じて第１収納スペースＳ１，Ｓ１’にディスクを入れたり第１収納スペースＳ１，Ｓ１’からディスクを取り出したりすることができるようになっている。
【００１９】
さらに、筐体１内には、上記した上下各段の空間Ｖ１，Ｖ２の間を上下動する可動構体５１と、この可動構体５１に設置された第１ディスク引込み払出し機構５２と、２つの第１ディスク収納スペースＳ１，Ｓ１’及び第２ディスク収納スペースＳ２のそれぞれに設置された第２ディスク引込み払出し機構５３と、ディスク処理スペースＳに設置された第３ディスク引込み払出し機構５４とが配備されている。そして、第２及び第３の各ディスク引込み払出し機構５３，５４は、第１ディスク引込み払出し機構５２と連係して動作するようになっていて、それらの連係動作を通じてディスク処理スペースＳと２つの第１ディスク収納スペースＳ１，Ｓ１’と第２ディスク収納スペースＳ２との間で相互にディスクの受渡しが行われるようになっている。したがって、第１、第２及び第３の各ディスク引込み払出し機構５２，５３，５４の組合せによって、ディスク処理スペースＳと２つの第１ディスク収納スペースＳ１，Ｓ１’と第２ディスク収納スペースＳ２との間で相互にディスクの受渡しを行うディスク受渡し機構５が構成されている。なお、図１〜図１０では第１ディスク引込み払出し機構５２だけにディスク受渡し機構を示す符号５を付してある。そのほか、２つの第１ディスク収納スペースＳ１，Ｓ１’や第２ディスク収納スペースＳ２、ディスク処理スペースＳには、ディスク検出センサー１６，１７，１８が設置されていて、各スペースＳ１，Ｓ１’，Ｓ２に引き込まれたディスクが当該各Ｓ１，Ｓ１’，Ｓ２の定位置に位置決め制御されるようになっている。同様に、可動構体５１にもディスク検出センサー１９が設置されていて、可動構体５１に引き込まれたディスクがディスク検出センサー１９によって定位置に位置決め制御されるようになっている。
【００２０】
さらに、筐体１の前板部１５には横長のスロット１６が備わり、このスロット１６を経てディスク処理スペースＳに対するディスクの出入れが行われるようになっている。この実施形態では、そのようなディスクの出入れが、ディスク処理スペースＳに配備されている第３ディスク引込み払出し機構５４と同一の機構によって兼用されているディスク搬入出機構５５の動作を通じてスロットイン／スロットアウト方式で行われるようになっている。
【００２１】
このディスク装置では、筐体１の内部が上下２段に仕切られ、下段側にディスク処理スペースＳ及び第２ディスク収納スペースＳ２を、上段側に２つの第１ディスク収納スペースＳ１，Ｓ１’を、それぞれ配備してあると共に、下段側各スペースＳ，Ｓ２と上段側の各スペースＳ１，Ｓ１’との相互間に可動構体５１が上下動するための上下各段の空間Ｖ１，Ｖ２を配備してあるに過ぎないので、筐体１の高さは下段側のディスク処理スペースＳ及び第２ディスク収納スペースＳ２と、上段側の第１ディスク収納スペースＳ１，Ｓ１’とを形成することができるだけの高さにするだけで済む。したがって、多段式のストッカを上下動可能に筐体内に配備する場合に比べて当該ディスク装置の外観高さをそれほど高くせずに済むという利点を有している。その上、第１ディスク収納スペースにＳ１，Ｓ１’には、筐体１の一部を欠除して形成されているディスク出入口１３，１３’が具備されていて、それらのディスク出入口１３，１３’が水平スライドするカバー１４，１４’によって開閉されるようになっているので、ディスク出入口１３，１３’の上側にカバー１４，１４’を開動させるためのスペースを確保する必要が必ずしもなく、このことも、当該ディスク装置の外観高さを低く抑えることに役立っている。
【００２２】
また、ディスクＤに対する記録又は再生のための処理はディスク処理スペースＳだけで行われ、他の第１及び第２の２種類のディスク収納スペースＳ１，Ｓ１’，Ｓ２でのディスクの出入れ動作がディスクＤに対する記録又は再生のための処理に対して影響を及ぼさない。言い換えると、第１及び第２の２種類のディスク収納スペースＳ１，Ｓ１’，Ｓ２でのディスクの出入れ動作を、ディスクＤに対する記録又は再生のための処理とは無関係に行うことができる。そのため、ディスクＤに対する記録又は再生のための処理を中断することなく、第１及び第２の２種類のディスク収納スペースＳ１，Ｓ１’，Ｓ２を、次回に記録又は再生のための処理を行うディスクの待機のためのスペースとして利用したり、ディスクを交換したり追加したり取り出したりすることに利用することが可能になる。
【００２３】
次に、たとえば図５や図１０のように可動構体５１が下段側空間Ｖ２に下動している状態では、可動構体５１の第１ディスク引込み払出し機構５２と第２ディスク収納スペースＳ２の第２ディスク引込み払出し機構５３とを同調動作させてディスクＤを可動構体５１から払い出して第２ディスク収納スペースＳ２に引き込んで収納させたり、その逆に、ディスクＤを第２ディスク収納スペースＳ２から払い出して可動構体５１に引き込んだりすることが可能である（図５参照）だけでなく、可動構体５１の第１ディスク引込み払出し機構５２とディスク処理スペースＳの第３ディスク引込み払出し機構５４とを同調動作させてディスクＤを可動構体５１から払い出してディスク処理スペースＳに搬入したり、その逆に、ディスクＤをディスク処理スペースＳから搬出して可動構体５１に引き込んだりすることが可能である（図１０参照）。また、図２又は図３のように可動構体５１が上段側空間Ｖ１に上動している状態では、可動構体５１の第１ディスク引込み払出し機構５２と一方側の第１ディスク収納スペースＳ１の第２ディスク引込み払出し機構５３とを同調動作させてディスクＤを可動構体５１から払い出して第１ディスク収納スペースＳ１に引き込んで収納させたり、その逆に、ディスクＤを第１ディスク収納スペースＳ１から払い出して可動構体５１に引き込んだりすることが可能であるだけでなく、他方側の第１ディスク収納スペースＳ１’に対しても同様の作用を行わせることが可能である。さらに、一方側のカバー１４を開くと、ディスク出入口１３を通じて第１ディスク収納スペースＳ１にディスクＤを出入れすることができ、他方側のカバー１４’を開くと、ディスク出入口１３’を通じて第１ディスク収納スペースＳ１’にディスクＤを出入れすることができる。
【００２４】
次に図１〜図１０を参照してディスクＤの交換、追加、取り出しなどの手順の一例を順を追って説明する。
【００２５】
たとえばカバー１４（図１１参照）を開いてディスクＤを一方側の第１ディスク収納スペースＳ１に収納した後、カバー１４でそのディスク出入口１４を閉じる。そして、このディスクＤを空スペースである第２ディスク収納スペースＳ２に収納するときには、図２のように可動構体５１を上段側空間Ｖ１に上動させた後、図３のようにディスクＤを第１ディスク収納スペースＳ１から払い出して可動構体５１に引き込む。次に、図４のように可動構体５１を下段側空間Ｖ２に下動させてから、図５のようにディスクＤを可動構体５１から払い出して第２ディスク収納スペースＳ２に引き込んで収納させる。こうして第２ディスク収納スペースＳ２に収納されているディスクＤは次回の記録又は再生のための処理のためにその第２ディスク収納スペースＳ２で待機していることになる。
【００２６】
図５のようにディスクＤが第２ディスク収納スペースＳ２で待機しているときに、同図のようにディスク処理スペースＳ内にディスクＤがあり、そのディスクＤが記録又は再生中であるときには、その記録又は再生が終了してから、あるいは、その記録又は再生が終了させてから、図６のようにディスク処理機構２をディスク処理スペースＳ内で矢印のように退避位置まで下動させると共に、ディスク搬入出機構５５を動作モードに切り換えて図７のようにディスクＤをスロット１５ａから外部へ排出する。
【００２７】
次に、図９のようにディスクＤを第２ディスク収納スペースＳ２から払い出して可動構体５１に引き込み、続いて可動構体５１から払い出したディスクＤをディスク処理スペースＳに引き込ませる。
【００２８】
この後、第３ディスク引込み払出し機構５４（ディスク搬入出機構５５）の動作モードを解除し、ディスク処理機構２を上動させてターンテーブル２１でディスクＤを保持させてディスクＤに対する記録又は再生のための処理を行わせる。
【００２９】
この実施形態では、記録又は再生が終了したディスクＤを、上述したようにスロット１５ａから外部へ排出する場合と、そのディスクＤを可動構体５１に引き込んで第１及び第２のディスク収納スペースＳ１，Ｓ１’，Ｓ２のうちの空スペースに収納する場合とを選択することができるようになっている。図８は後者の場合を選択してディスク処理スペースＳ内のディスクＤを払い出し、可動構体５１に引き込んだ状態を示している。こうして可動構体５１に引き込まれたディスクＤは、可動構体５１などの動作を介して空スペースに収納される。
【００３０】
以上の説明によって類推することができるように、この実施形態のディスク装置によると、第１ディスク収納スペースＳ１，Ｓ１’、第２ディスク収納スペースＳ２の中に空スペースがあるときには、その空スペースを利用してディスクＤをそれら３つの収納スペースＳ１，Ｓ１’，Ｓ２の相互間でディスクを受渡しさせてディスクＤを待機させることが可能になるという利点がある。
【００３１】
第３ディスク引込み払出し機構５４（ディスク搬入出機構５５）は、図１２に拡大して例示したように、たとえば、ディスクＤを上下から挾み付ける駆動ローラ５６と押えローラ５７とによって構成することが可能であり、押えローラ５７を矢印Ｙのように上下動可能な構成としておくことにより動作モードと非動作モードとを選択することが可能である。また、ディスク処理機構２はピックアップユニットによって構成され、そのフレーム２２を矢印Ｙ１のように上下動させることによって、ターンテーブル２１がディスクＤを保持する動作モードとターテンブル２１から上記駆動ローラ５６にディスクＤを受け渡させる非動作モードとを選択することが可能である。
【００３２】
また、第１及び第２の各ディスク収納スペースＳ１，Ｓ１’，Ｓ２に設けられる第２ディスク引込み払出し機構５３は、たとえば、第１ディスク収納スペースＳ１の第２ディスク引込み払出し機構５３について図１２に示したように、上下一対のガイドローラ５８と図１５に例示したようなディスク後押し部材５９とによって構成することが可能である。ディスク後押し部材５９はねじ軸５９ａの回転によって水平に往復移動し、その往動中にディスクを後押しする。そして、後押しされたディスクＤがガイドローラ５８により案内されて引き出される。また、ディスクの引込み時にはガイドローラ５８が転動してディスクＤを案内する。
【００３３】
可動構体５１の第１ディスク引込み払出し機構５２は、たとえば、ディスクＤを上下から挾み付ける左右一対ずつの駆動ローラ５２ａと押えローラ５２ｂとによって構成することが可能である（図６参照）。また、可動構体５１を上下動させるためには、たとえば図１４のように、垂直に配備したねじ軸６１と複数本の垂直なガイド軸６２とを共働させることによって可能である。
【００３４】
以上説明した実施形態では、２つの第１ディスク収納スペースＳ１，Ｓ１’を備えるディスク装置を説明したけれども、この点は、第１ディスク収納スペースを１つだけ備えるものであってもよく、そのようなディスク装置は小さな筐体を有するものに対して有利に適用することができる。
【図面の簡単な説明】
【００３５】
【図１】本発明の実施形態に係るディスク装置の動作状態を例示した概略縦断面図である。
【図２】同ディスク装置の他の動作状態を例示した概略縦断面図である。
【図３】同ディスク装置のさらに他の動作状態を例示した概略縦断面図である。
【図４】同ディスク装置のさらに他の動作状態を例示した概略縦断面図である。
【図５】同ディスク装置のさらに他の動作状態を例示した概略縦断面図である。
【図６】同ディスク装置のさらに他の動作状態を例示した概略縦断面図である。
【図７】同ディスク装置のさらに他の動作状態を例示した概略縦断面図である。
【図８】同ディスク装置のさらに他の動作状態を例示した概略縦断面図である。
【図９】同ディスク装置のさらに他の動作状態を例示した概略縦断面図である。
【図１０】同ディスク装置のさらに他の動作状態を例示した概略縦断面図である。
【図１１】ディスク装置の概略外観斜視図である。
【図１２】要部の拡大縦断面図である。
【図１３】ディスク後押し部材の概略側面図である。
【図１４】可動構体などを示した概略平面図である。
【符号の説明】
【００３６】
１  筐体
２  ディスク処理機構
５  ディスク受渡し機構
１３，１３’  ディスク出入口
１４，１４’  カバー
１５ａ  スロット
５１  可動構体
５２  第１ディスク引込み払出し機構（ディスク引込み払出し機構）
５５  ディスク搬入出機構
Ｓ  ディスク処理スペース
Ｄ  ディスク
Ｓ１，Ｓ１’  第１ディスク収納スペース
Ｓ２  第２ディスク収納スペース
Ｖ１  下段側空間
Ｖ２  上段側空間
【図１】
2006268988.tif 000003
【図２】
2006268988.tif 000004
【図３】
2006268988.tif 000005
【図４】
2006268988.tif 000006
【図５】
2006268988.tif 000007
【図６】
2006268988.tif 000008
【図７】
2006268988.tif 000009
【図８】
2006268988.tif 000010
【図９】
2006268988.tif 000011
【図１０】
2006268988.tif 000012
【図１１】
2006268988.tif 000013
【図１２】
2006268988.tif 000014
【図１３】
2006268988.tif 000015
【図１４】
2006268988.tif 000016